(57)【要約】【課題】平滑でない壁面であっても壁面表示板を取り外し可能に貼設することが可能な壁面表示板の貼設方法と、その方法の実施に使用する壁面表示具とを提供する。【解決手段】壁面表示具１は、強磁性材料を含む磁性層２０の表側に筆記面を構成する表面層２１、裏側に平滑な面に吸着可能な吸盤層２２が設けられた可撓性を有するシート状の壁面表示板２と、表面が平滑であり壁面表示板２の吸盤層２２を吸着させるための再剥離性の粘着テープ３と、壁面表示板２上の周縁部分に押し当てられ磁性層２０との間に磁気吸引力を作用させて壁面表示板２を伸展させた状態にする永久磁石板４Ａ，４Ｂとで構成されたものである。【選択図】図２
2010262130.tif 000002
【特許請求の範囲】
【請求項１】
強磁性材料を含む磁性層の表側に筆記面、掲示面、スクリーン面のいずれかを構成する表面層、裏側に平滑な面に吸着可能な吸盤層が設けられた可撓性を有するシート状の壁面表示板を、平滑でない壁面に取り外し可能に貼設するための壁面表示板の貼設方法であって、壁面表示板を貼設する壁面の領域の少なくとも周縁部分に、表面が平滑な再剥離性の粘着テープを貼付した後、壁面表示板を粘着テープの貼付部分に位置合わせし、吸盤層が粘着テープの表面に吸着するように壁面表示板を壁面に押し付けるとともに、壁面表示板上の周縁部分に永久磁石板を押し当て磁性層との間に作用する磁気吸引力により壁面表示板を伸展させた状態にして壁面表示板を壁面に貼設することを特徴とする壁面表示板の貼設方法。
【請求項２】
前記粘着テープは、壁面表示板を貼設する壁面の領域の周縁部分の全体に貼付される請求項１に記載された壁面表示板の貼設方法。
【請求項３】
前記粘着テープは、壁面表示板を貼設する壁面の領域の全面に貼付される請求項１に記載された壁面表示板の貼設方法。
【請求項４】
前記粘着テープは、壁面表示板を貼設する壁面の領域の周縁部分の一部に貼付される請求項１に記載の壁面表示板の貼設方法。
【請求項５】
強磁性材料を含む磁性層の表側に筆記面、掲示面、スクリーン面のいずれかを構成する表面層、裏側に平滑な面に吸着可能な吸盤層が設けられた可撓性を有するシート状の壁面表示板と、表面が平滑であり壁面表示板の吸盤層を吸着させるための再剥離性の粘着テープと、壁面表示板上の周縁部分に押し当てられ磁性層との間に磁気吸引力を作用させて壁面表示板を伸展させた状態にする永久磁石板とで構成されて成る壁面表示具。
【請求項６】
前記永久磁石板は、壁面表示板の周縁部分の対角位置に押し当てられるものである請求項５に記載された壁面表示具。
【請求項７】
前記永久磁石板は、壁面表示板の周縁部分の全体に押し当てられるものである請求項５に記載された壁面表示具。
【請求項８】
前記粘着テープは、強磁性材料を含む磁性層を有している請求項５に記載された壁面表示具。
【発明の詳細な説明】
【技術分野】
【０００１】
この発明は、学校、事業所、民家などの建物内の壁面に、筆記可能な領域、掲示可能な領域、映写可能な領域などを形成するためのシート状の壁面表示板を貼設する方法と、その方法の実施に使用する壁面表示具とに関する。特に、この発明は、強磁性材料を含む磁性層の表側に筆記面、掲示面、スクリーン面のいずれかを構成する表面層、裏側に平滑な面に吸着可能な吸盤層が設けられた可撓性を有するシート状の壁面表示板を、平滑でない壁面に取り外し可能に貼設するための壁面表示板の貼設方法と、その方法の実施に使用する壁面表示具とに関する。
【背景技術】
【０００２】
従来、建物内の壁面に、ホワイトボードや黒板を設置して筆記可能な領域を形成したり、掲示板を設置して掲示可能な領域を形成したり、映写幕を設置して映写可能な領域を形成したりすることが行われている。しかし、ホワイトボード、黒板、掲示板、映写幕などの各設備は、壁面の決められた箇所に固定的に取り付けられるもので、取付金具によって壁面に傷が付き、設備を撤廃したときに取付金具による傷跡が残って見苦しいという問題がある。また、設置されたホワイトボードなどの設備は簡単に取り外すことができず、設備が設置された領域は他の用途に容易に転用できない。
【０００３】
ところで、近年、建物内の壁面を随時有効に利用し、壁面を傷付けることなく、壁面の適所に筆記可能な領域などを簡単に形成することができるシート状の壁面表示板が製品化された（例えば、商品名「マグフィット」、シーアイ化成株式会社製）。この壁面表示板は可撓性があり、強磁性材料を含む磁性層の表側にホワイトボードや掲示板として機能させる表面層、裏側に平滑な面に吸着可能な吸盤層が設けられている。この種の吸盤層は、例えば、アクリル樹脂、ポリウレタン樹脂、ポリブタジエン樹脂などの柔軟性が良好な発泡樹脂層であり、表面に微小な吸盤状の凹部を多数備えたものである（例えば、特許文献１参照）。
上記の壁面表示板は、ステンレスなどの金属板、合成樹脂板、ガラス板などの平滑な面に接着剤を用いないで剥離可能に貼設することが可能である。
【先行技術文献】
【特許文献】
【０００４】
【特許文献１】実開平５−１３７３２号公報
【発明の概要】
【発明が解決しようとする課題】
【０００５】
しかし、上記の吸盤層を備えた壁面表示板は、平滑な壁面に限って貼設することが可能であり、粗い表面の壁面（例えば、エンボス入りのビニール壁紙など）には貼設できず、貼設可能な壁面が限定されるという問題がある。また、サイズの大きな壁面表示板は、巻かれた状態で市場に提供されるもので、巻き癖がついているため、周縁部分が壁面から浮き上がり易く、そのために吸盤層の吸着性能が低下し、壁面表示板が脱落するおそれがある。
【０００６】
この発明は、上記した問題に着目してなされたもので、平滑でない壁面であっても壁面表示板を取り外し可能に貼設することが可能な壁面表示板の貼設方法と、その方法の実施に使用する壁面表示具とを提供することを目的とする。
【課題を解決するための手段】
【０００７】
この発明は、強磁性材料を含む磁性層の表側に筆記面、掲示面、スクリーン面のいずれかを構成する表面層、裏側に平滑な面に吸着可能な吸盤層が設けられた可撓性を有するシート状の壁面表示板を、平滑でない壁面に取り外し可能に貼設するための壁面表示板の貼設方法であって、壁面表示板を貼設する壁面の領域の少なくとも周縁部分に、表面が平滑な再剥離性の粘着テープを貼付した後、壁面表示板を粘着テープの貼付部分に位置合わせし、吸盤層が粘着テープの表面に吸着するように壁面表示板を壁面に押し付けるとともに、壁面表示板上の周縁部分に永久磁石板を押し当て磁性層との間に作用する磁気吸引力により壁面表示板を伸展させた状態にして壁面表示板を壁面に貼設することを特徴とするものである。
【０００８】
この発明の上記した構成において、「再剥離性の粘着テープ」とは、被着物に貼り付けた粘着テープを剥がすとき、基材を破損させずに、かつ被着物に粘着剤を残さないで、剥がすことができる性質を有する粘着テープのことである。
粘着テープは、典型的には、壁面表示板を貼設する壁面の領域の周縁部分の全体に貼付するが、壁面表示板のサイズや形状などに応じて、壁面表示板を貼設する壁面の領域の全面に貼付したり、壁面表示板を貼設する壁面の領域の周縁部分の一部に貼付したりしてもよい。
【０００９】
この発明による壁面表示具は、上記した壁面表示板の貼設方法を実施するのに直接使用されるもので、強磁性材料を含む磁性層の表側に筆記面、掲示面、スクリーン面のいずれかを構成する表面層、裏側に平滑な面に吸着可能な吸盤層が設けられた可撓性を有するシート状の壁面表示板と、表面が平滑であり壁面表示板の吸盤層を吸着させるための再剥離性の粘着テープと、壁面表示板上の周縁部分に押し当てられ磁性層との間に磁気吸引力を作用させて壁面表示板を伸展させた状態にする永久磁石板とで構成されたものである。
【００１０】
この発明の構成によれば、壁面表示板を貼設する壁面の領域に、表面が平滑な再剥離性の粘着テープを貼付した後、吸着層が粘着テープの表面に吸着するように壁面表示板を壁面に押し付けて貼設するので、壁面が平滑であると否とを問わず、吸着層を利用して壁面表示板を壁面に安定して貼設することができる。しかも、壁面表示板上の周縁部分に永久磁石板を押し当て磁性層との間に作用する磁気吸引力により壁面表示板を伸展させた状態にするので、壁面表示板についた巻き癖によって周縁部分が壁面から浮き上がるのが防止され、吸盤層の吸着性能を低下して壁面表示板が脱落するなどのおそれがない。
【００１１】
この発明の上記した構成において、永久磁石板は、壁面表示板の周縁部分の対角位置に押し当てられるものであってもよく、壁面表示板の周縁部分の全体に押し当てられるものであってもよい。
【００１２】
また、この発明の上記した構成において、粘着テープとして、強磁性材料を含む未着磁または着磁された磁性層を有するものを用いることもできる。この実施態様によると、永久磁石板と粘着テープの磁性層との間にも磁気吸引力が作用するので、壁面に対する壁面表示板の押し付け力が増し、壁面表示板は一層強固に固定される。
【発明の効果】
【００１３】
この発明によると、粗い表面の壁面、すなわち、平滑でない壁面であっても、再剥離性の粘着テープを貼付するだけで、壁面表示板を取り外し可能に貼設することができる。また、壁面表示板を壁面に貼設するのに、壁面に粘着テープを貼付するだけであるから、壁面表示板の設置のための取付金具により壁面に傷が付いたり、壁面表示板の撤廃時に壁面に取付金具による傷跡が残るということがない。しかも、粘着テープは再剥離性の粘着テープであるから、粘着テープの剥離時に壁面に粘着剤を残さないで剥がすことができ、壁面を汚すこともない。さらに、壁面表示板は、随時、簡単に取り外せるので、壁面表示板を設置した壁面を他の用途に容易に転用できる。
【図面の簡単な説明】
【００１４】
【図１】この発明の一実施例である壁面表示具の構成を示す分解斜視図である。
【図２】平滑でない壁面に壁面表示板が貼設された状態を示す一部を省略した断面図である。
【図３】この発明の他の実施例である壁面表示具の構成を示す分解斜視図である。
【図４】この発明の他の実施例である壁面表示具の構成を示す分解斜視図である。
【図５】粘着テープの他の実施例を示す断面図である。
【発明を実施するための形態】
【００１５】
図１は、この発明の一実施例である壁面表示具１の構成を示している。図示例の壁面表示具１は、可撓性を有するシート状の壁面表示板２と、表面が平滑な再剥離性の粘着テープ３と、２個の永久磁石板４Ａ，４Ｂとで構成されるもので、平滑でない壁面１０に壁面表示板２を取り外し可能に貼設するために、壁面１０に貼付された粘着テープ３を介在させて壁面表示板２を壁面１０に押し付け、かつ壁面表示板２上の適所に永久磁石板４Ａ，４Ｂを押し当てている。
【００１６】
壁面表示板２は、図２に示すように、強磁性材料を含む磁性層２０の表側に、筆記面を構成する表示層２１が、裏側に平滑な面に吸着可能な吸盤層２２が、それぞれ一体に設けられたものである。
磁性層２０は、鉄粉などの金属粉やフェライト粉末などの磁性粉体と、塩化ビニルなどの合成樹脂材とを混錬してシート状にしたものであるが、これに限らず、例えば、防錆用の亜鉛メッキが施された鉄箔などを用いて構成することもできる。
【００１７】
表面層２１は、ホワイトボード用のシート材により構成されている。このシート材は、ポリエチレンテレフタレートのようなポリエステル、ポリ塩化ビニル、アクリル樹脂などの可撓性合成樹脂のシート状基材の表面にメラミン系樹脂層や含フッ素系樹脂層の如き表面層が設けられたもので、この表面層の表面がフェルトペン等による筆記に供される。なお、表面層２１は、筆記面に限らず、掲示面やスクリーン面を構成するものであってもよい。例えば、掲示面を構成する表面層２１は、塩化ビニルなどの合成樹脂発泡体の表面を塩化ビニルなどの樹脂フィルムでコーティングしたものを用いて構成したり、厚手の布地やらしゃ地などを用いて構成したりする。
【００１８】
吸盤層２２は、例えば、アクリル樹脂、ポリウレタン樹脂、ポリブタジエン樹脂などの柔軟性が良好な発泡樹脂層であり、表面に微小な吸盤状の凹部を多数備えている。この吸盤層２２は、ステンレスなどの金属板、合成樹脂板、ガラス板などの平滑な面に接着剤を用いないで剥離可能に貼設することが可能であり、後述する粘着テープ３の平滑な表面にも剥離可能に貼設することができる。
【００１９】
図面では、壁面表示板２をやや縦長の矩形状に表してあるが、ホワイトボードに用いる場合は、典型的には横長の矩形状とし、例えば、縦横の各幅が６００ｍｍ×９００ｍｍの大きさに設定する。なお、壁面表示板２の大きさや形状は任意であり、例えば、形状を矩形状以外の形状、例えば円形や種々のものを象った形状に形成してもよい。
図示例の壁面表示板２は、巻かれた状態で提供される長尺物の材料を適当な寸法で裁断して形成されたもので、図１に一点鎖線Ｘで示すように、横幅全長にわたり横方向に巻きぐせがついている。
【００２０】
前記の再剥離性の粘着テープ３は、表面に壁面表示板２の吸盤層２２を吸着させるためのもので、表面が平滑な基材３０の片面にアクリル系粘着剤のような接着性と再剥離性とに優れた粘着剤の層３１を形成したものである。基材３０は、表面が平滑であり、かつ粘着剤が塗着可能な材料であれば特に制約はなく、ポリオレフィン、ポリエステル、ポリ塩化ビニルなどのプラスティックフィルムが用いられる。
【００２１】
図示例の粘着テープ３は、壁面表示板２を貼設する壁面１０の矩形状の領域の周縁部分に沿って周縁部分の全体にわたり貼付されているが、粘着テープ３を貼付する範囲は、後述するように、壁面表示板２のサイズや形状などに応じて自由に設定し得る。
【００２２】
前記の各永久磁石板４Ａ，４Ｂは、壁面表示板２上の周縁部分に押し当てられて壁面表示板２の磁性層２０との間に磁気吸引力を作用させて壁面表示板２を伸展させた状態にするためのもので、壁面表示板２について横方向の巻きぐせ（図１に一点鎖線Ｘで示す）をの是正するように、一方の永久磁石板４Ａは壁面表示板２の上縁部分に沿って、他方の永久磁石板４Ｂは壁面表示板２の下縁部分に沿って、それぞれ磁気吸着させる。
【００２３】
この実施例の永久磁石板４Ａ，４Ｂは、壁面表示板２の横幅と一致する長さの枠状体であり、内面側が開放されたプラスチック製のケース体４１の内部にゴム磁石４０が嵌め込まれて成る。ゴム磁石４０はフェライトなどの磁性粉末とゴム材とを加圧混練して一定の粘度の組成物を得た後、磁場中にて押出成形を行うことにより製作されるもので、前記ケース体４１の開放面にゴム磁石４０の着磁面を臨ませている。なお、着磁は片面着磁が望ましいが、それに限られるものではない。また、ケース体４１は必ずしも不可欠なものではなく、ゴム磁石単独で構成することもできる。
【００２４】
図３は、この発明の他の実施例を示している。この実施例では、粘着テープ３は壁面表示板２を貼設する壁面１０の矩形状の領域の全面にわたって貼付されている。また、永久磁石板４は、壁面表示板２の外形に合わせた矩形枠状に形成され、壁面表示板２上の周縁部分の全体に押し当てられている。この実施例によると、永久磁石板４によって壁面表示板２上の筆記可能な領域が区画されるので、壁面表示板２より壁面へはみ出して筆記されるおそれがない。なお、粘着テープ３は、壁面表示板２を貼設する壁面１０の矩形状の領域の周縁部分の全体または一部に貼付してもよい。
【００２５】
図４は、この発明のさらに他の実施例を示している。この実施例では、粘着テープ３は壁面表示板２を貼設する壁面１０の矩形状の領域の周縁部分の一部、すなわち、上縁部分と下縁部分とに貼付されている。また、永久磁石板４Ａ〜４Ｄは、２本の永久磁石板４Ａ，４Ｂが壁面表示板２の横幅と一致する長さの枠状体であり、他の２本の永久磁石板４Ｃ，４Ｄが壁面表示板２の縦幅とほぼ一致する長さの枠状体であり、壁面表示板２の上縁部分、下縁部分、および左右の側縁部分にそれぞれ押し当てられている。
【００２６】
上記した構成の壁面表示具１を表面が粗い壁面１０に取り外し可能に貼設するには、まず、壁面表示板２を貼設する壁面１０の矩形領域の周縁部分の全体または一部（図１および図４の実施例）、或いは、壁面表示板２を貼設する壁面１０の矩形領域の全面（図３の実施例）に再剥離性の粘着テープ３をそれぞれ貼付した後、壁面表示板２を粘着テープ３の貼付部分に位置合わせし、吸着層２２が粘着テープ３の表面に吸着するように壁面表示板２を壁面１０に押し付ける。これにより、壁面１０が平滑でなくても、粘着テープ３を貼付することが可能な壁面（例えば、エンボス入りのビニール壁紙）であれば、壁面表示板２を壁面１０に貼設することができる。
【００２７】
つぎに、図１の実施例では２本の永久磁石板４Ａ，４Ｂを壁面表示板２の上縁部分および下縁部分に沿って押し当て、図３の実施例では矩形枠状の永久磁石板４を壁面表示板２の周縁部分の全体に押し当て、図４の実施例では４本の永久磁石４Ａ〜４Ｄを壁面表示板２の周縁部分の全体に押し当てると、磁性層２０との間に磁気吸引力が作用するので、壁面表示板２は伸展した状態となり、その状態で壁面表示板２は壁面１０に貼設される。したがって、たとえ、壁面表示板２に巻きぐせがついていても、周縁部分の壁面１０からの浮き上がりが防止され、吸盤層２２の吸着性能は低下せず、壁面表示板２が脱落するおそれがない。
【００２８】
なお、粘着テープ３として、図５に示すように、基材３０と粘着剤の層３１との間に、壁面表示板２の磁性層２０と同様の未着磁の磁性層３２または着磁された磁性層３２が設けられたものを用いることができる。この実施態様によると、永久磁石板４Ａ，４Ｂと粘着テープ３の磁性層３２との間にも磁気吸引力が作用するので、壁面１０に対する壁面表示板２の押し付け力が増し、壁面表示板２は一層強固に固定される。
【符号の説明】
【００２９】
１    壁面表示具
２    壁面表示板
３    粘着テープ
４，４Ａ，４Ｂ，４Ｃ，４Ｄ  永久磁石板
１０  壁面
２０  磁性層
２１  表面層
２２  吸盤層
【図１】
2010262130.tif 000003
【図２】
2010262130.tif 000004
【図３】
2010262130.tif 000005
【図４】
2010262130.tif 000006
【図５】
2010262130.tif 000007